(57)【要約】【課題】自身の頭部を所望の方向から確認することができ、コストを抑えることができ、使い勝手も良好な鏡装置を提案する。【解決手段】鏡装置Ｍ１は、鏡部１と、鏡部１の少なくとも一部を構成する表示部２とを備える。鏡装置Ｍ１は、撮像機能を有する携帯端末９との間で、通信を行う。鏡装置Ｍ１が備える画像形成部は、携帯端末９から取得した撮像データに基づいて画像を形成し、形成した画像を表示部２に表示させる。【選択図】図３
2017064114.tif 000002
【特許請求の範囲】
【請求項１】
鏡部と、
前記鏡部の少なくとも一部を構成する表示部と、
撮像機能を有する携帯端末との間で通信を行う通信部と、
前記通信部を通じて前記携帯端末から取得した撮像データに基づいて、前記表示部に表示する画像を形成する画像形成部を備える
ことを特徴とする鏡装置。
【請求項２】
前記表示部は、ハーフミラーと、前記ハーフミラーの裏側に設置されたディスプレイとを備える
ことを特徴とする請求項１に記載の鏡装置。
【請求項３】
前記通信部は、前記携帯端末との間で無線通信を行う
ことを特徴とする請求項１または２に記載の鏡装置。
【請求項４】
前記携帯端末から無線通信で取得した識別情報を、登録された識別情報と対比し、両者が一致する場合に前記携帯端末を認証する認証部をさらに備え、
前記画像形成部は、前記認証部に認証された前記携帯端末から取得した撮像データに基づいて、前記表示部に表示する画像を形成する
ことを特徴とする請求項３に記載の鏡装置。
【請求項５】
前記認証部は、複数の識別情報を認証可能である
ことを特徴とする請求項４に記載の鏡装置。
【発明の詳細な説明】
【技術分野】
【０００１】
本発明は、鏡装置に関し、詳しくは、撮像した画像を表示することのできる鏡装置に関する。
【背景技術】
【０００２】
特許文献１には、人の頭部を撮影してディスプレイ画面に表示することのできる頭部観察装置が、記載されている。
【０００３】
この頭部観察装置は、回動自在なアームの先端に専用のカメラを取り付けた構造であり、カメラで撮影した画像を、正面のディスプレイ画面に表示することで、自身の頭部を多様な角度から確認できるようになっている。
【先行技術文献】
【特許文献】
【０００４】
【特許文献１】特開２０１４−１０８３３５号公報
【発明の概要】
【発明が解決しようとする課題】
【０００５】
上記した従来の技術は、自身の後頭部を確認するために専用のカメラを用いる技術であり、コストがかかるうえに、カメラを動かす範囲も限定されており、使い勝手に問題がある。
【０００６】
本発明は、自身の頭部を所望の角度から確認することができ、コストを抑えることができ、使い勝手も良好な鏡装置を提案することを、目的とする。
【課題を解決するための手段】
【０００７】
本発明に係る形態の鏡装置は、鏡部と、表示部と、通信部と、画像形成部を備える。
【０００８】
前記表示部は、前記鏡部の少なくとも一部を構成する。
【０００９】
前記通信部は、撮像機能を有する携帯端末との間で通信を行う。
【００１０】
前記画像形成部は、前記通信部を通じて前記携帯端末から取得した撮像データに基づいて、前記表示部に表示する画像を形成する。
【発明の効果】
【００１１】
本発明の鏡装置は、自身の頭部を所望の方向から確認することができ、コストを抑えることができ、使い勝手も良好であるという効果を奏する。
【図面の簡単な説明】
【００１２】
【図１】第一実施形態の鏡装置の正面図である。
【図２】第一実施形態の鏡装置が備える表示部の分解斜視図である。
【図３】第一実施形態の鏡装置が使用される様子を示す平面図である。
【図４】第一実施形態の鏡装置とこれに接続される携帯端末の主要構成を示すブロック図である。
【図５】第一実施形態の鏡装置が複数人に利用される様子を示す概略図である。
【発明を実施するための形態】
【００１３】
図１に示すように、第一実施形態の鏡装置Ｍ１は、洗面ボウル８１１を有する洗面台８１と、洗面台８１の上方に支持されるキャビネット８２と、キャビネット８２の前面に設置される鏡部１とを備えた洗面化粧台である。本文中で用いる各方向は、鏡装置Ｍ１を設置した状態を基準とする。
【００１４】
キャビネット８２の前面には、三つの平面鏡１１，１２，１３が、左右方向に並んで設置される。これら三つの平面鏡１１，１２，１３によって、鏡部１が構成される。
【００１５】
鏡部１は三面鏡であり、左右の平面鏡１１，１３は、中央の平面鏡１２に対して角度変更自在である。
【００１６】
鏡部１の中央部分を構成する平面鏡１２が、使用者Ｕ１の携帯端末９（図３〜図５参照）で撮像した画像を表示することのできる表示部２を構成する。表示部２については、改めて詳述する。
【００１７】
キャビネット８２の上部には、照明部８２１が設置されている。照明部８２１には、ＬＥＤ等の光源が配置されている。この光源が発光することで、キャビネット８２の前方（ひいては、鏡部１の前方に位置する使用者Ｕ１）が照らされる。
【００１８】
キャビネット８２の下部には、吐水部８２２、操作レバー８２３及び入力操作部８２４が設置されている。
【００１９】
吐水部８２２の先端開口からは、洗面ボウル８１１に向けて湯水が吐出される。
【００２０】
操作レバー８２３は、所定範囲内で回動自在である。操作レバー８２３の回動操作によって、吐水部８２２から吐出される湯水の量や温度が調整される。
【００２１】
入力操作部８２４には、複数のボタン８２４１が配置されている。複数のボタン８２４１を用いて、照明部８２１のオンオフ等を操作することができる。複数のボタン８２４１がそれぞれ押し込み操作されると、鏡装置Ｍ１が備える制御部６（図４参照）に対して、指令が入力される。
【００２２】
照明部８２１の光源のオンオフ、発光量、発光色等は、制御部６によって制御される。つまり、各ボタン８２４１の操作に基づいて、制御部６が、照明部８２１の光源のオンオフ等を制御する。
【００２３】
図２は、鏡部１の一部を構成する表示部２の、分解斜視図である。
【００２４】
表示部２は、ハーフミラー２３と、ハーフミラー２３の後方（裏側）に設置されるタッチパネルシート２４と、タッチパネルシート２４の後方に配置されるディスプレイ装置２５とを備える。
【００２５】
ディスプレイ装置２５は、画像を表示することのできるディスプレイ２５１を、前面に備える。鏡装置Ｍ１においては、このディスプレイ装置２５に、鏡装置Ｍ１の制御部６が収納される。
【００２６】
ディスプレイ装置２５に収納される制御部６と、タッチパネルシート２４とは、コード２６を介して電気的に接続される。なお、制御部６とタッチパネルシート２４を無線で接続することも可能である。
【００２７】
表示部２はさらに、ハーフミラー２３の前方（表側）に設置される透明ガラス２２と、透明ガラス２２の前方に配置される指紋付着防止用のシート２１を備える。
【００２８】
つまり、本実施形態の表示部２では、指紋付着防止用のシート２１と、透明ガラス２２と、ハーフミラー２３と、タッチパネルシート２４と、ディスプレイ装置２５とが、後方に向けてこの順で並ぶように配置されている。
【００２９】
表示部２が備えるハーフミラー２３は、ディスプレイ２５１に画像が表示されないときには、前方に位置する使用者Ｕ１に対して通常の鏡のように機能し、ディスプレイ２５１に画像が映し出されたときには、この画像を前方に透過する透明ガラスのように機能する。
【００３０】
ディスプレイ装置２５に表示される画像は、制御部６が備える画像形成部４（図４参照）によって、形成される。画像形成部４は、携帯端末９から無線で送信される撮像データに基づいて、画像を形成する。ここで形成される画像は、動画でも静止画でもよい。制御部６は、画像形成部４が形成した画像を、ディスプレイ装置２５のディスプレイ２５１に表示させる。
【００３１】
鏡装置Ｍ１においては、表示部２に含まれるタッチパネルシート２４が、制御部６に対して指令を入力させる入力部を構成する。使用者Ｕ１が指紋付着防止用のシート２１の表面を指で押すと、タッチパネルシート２４がこれを検知して制御部６に信号を送る。
【００３２】
次に、鏡装置Ｍ１と携帯端末９の無線接続を確立するための構成について、説明する。
【００３３】
図４に示すように、鏡装置Ｍ１は、携帯端末９との間で無線通信を行うための通信部３を備える。制御部６は、携帯端末９を認証するための認証部５と、メモリ７を備える。鏡装置Ｍ１は、認証部５によって認証した携帯端末９との間でのみ、無線接続を確立する。メモリ７には、鏡装置Ｍ１の識別情報が記憶されている。識別情報は、たとえば鏡装置Ｍ１の無線機能に設けられたアドレスである。
【００３４】
携帯端末９は、使用者Ｕ１が所有する撮像機能付きの携帯端末であり、撮像部９１と、無線通信用の通信部９２と、ディスプレイ９３と、入力部９４と、これらを制御する制御部９５を備える。制御部９５のメモリ９６には、携帯端末９の識別情報が記憶されている。識別情報は、たとえば無線機能に設けられたアドレスである。
【００３５】
携帯端末９は、たとえばスマートフォンであるが、撮像機能と無線通信機能を有するものであれば、携帯電話、タブレット型端末等であってもよい。
【００３６】
携帯端末９には、鏡装置Ｍ１と無線接続するための専用のアプリケーションソフト（以下「アプリ」という。）をインストールしておく。このアプリを用いて、使用者Ｕ１の携帯端末９を、鏡装置Ｍ１に登録させる。
【００３７】
つまり、携帯端末９のアプリを用いて、まず携帯端末９と鏡装置Ｍ１との間で無線通信を行い、互いの識別情報を交換する。鏡装置Ｍ１は、携帯端末９の識別情報を取得してメモリ７に格納する。
【００３８】
鏡装置Ｍ１の表示部２に画像を表示させるには、携帯端末９を鏡装置Ｍ１に接近させ、アプリを起動させる。鏡装置Ｍ１は、携帯端末９との間で無線通信を行い、携帯端末９の識別情報を取得する。
【００３９】
認証部５は、ここで取得した識別情報と、メモリ７に格納された携帯端末９の識別情報とを対比し、両者が一致した場合に、その携帯端末９を認証する。鏡装置Ｍ１は、認証部５によって認証された携帯端末９との間で、無線接続を確立する。
【００４０】
画像形成部４は、認証部５によって認証された携帯端末９から送信される撮像データに基づいて、表示部２に表示するための画像を形成する。
【００４１】
したがって、使用者Ｕ１は、携帯端末９の撮像機能を用いて自身の頭部を所望の方向（たとえば後方）から撮像し、撮像した画像を、正面の鏡部１の一部を構成する表示部２に表示することができる（図３参照）。そのため、使用者Ｕ１は正面を向いたままで、自身の頭部を所望の方向から確認することができ、方向等を変更したければ携帯端末９を動かせばよいため、自身が大きく動く必要がない。
【００４２】
さらに使用者Ｕ１は、表示部２の表面（指紋付着防止用のシート２１）を指で触ることで、タッチパネルシート２４を介して鏡装置Ｍ１を操作することができる。操作の一例として、表示部２の表面を指で触ることで、表示される画像の拡大、縮小を操作することや、画像の明るさや色彩の変更を操作することや、画像の上下左右の移動を操作することが挙げられる。
【００４３】
鏡装置Ｍ１と携帯端末９の確立された無線接続を終了させたいときには、携帯端末９のアプリを用いて終了の指令を与えることができ、また、鏡装置Ｍ１側からタッチパネルシート２４を介して指令の終了を与えることもできる。また、鏡装置Ｍ１の入力操作部８２４から指令の終了を与えることもできる。また、鏡装置Ｍ１に人感センサを設置しておき、人感センサが正面に人間を検知しない時間が一定時間を超えれば、自動的に無線接続を終了させるように設けてもよい。
【００４４】
鏡装置Ｍ１には、複数の携帯端末９を登録することも可能である。
【００４５】
図５に示すように、たとえば三人の使用者Ｕ１，Ｕ２，Ｕ３がそれぞれ携帯端末９を所有する場合、使用者Ｕ１，Ｕ２，Ｕ３がそれぞれ所有する携帯端末９を、鏡装置Ｍ１のメモリに登録しておく。
【００４６】
つまり、使用者Ｕ１は、自身の携帯端末９（以下「第一携帯端末９ａ」という。）にインストールされたアプリを用いて、第一携帯端末９ａと鏡装置Ｍ１との間で無線通信を行い、互いの識別情報を交換する。鏡装置Ｍ１は、第一携帯端末９ａの識別情報を取得してメモリ７に格納する。
【００４７】
使用者Ｕ２も、自身の携帯端末９（以下「第二携帯端末９ｂ」という。）にインストールされたアプリを用いて、鏡装置Ｍ１との間で無線通信を行わせ、第二携帯端末９ｂの識別情報を鏡装置Ｍ１のメモリ７に格納させる。
【００４８】
使用者Ｕ３も、自身の携帯端末９（以下「第三携帯端末９ｃ」という。）にインストールされたアプリを用いて、鏡装置Ｍ１との間で無線通信を行わせ、第三携帯端末９ｃの識別情報を鏡装置Ｍ１のメモリ７に格納させる。
【００４９】
使用者Ｕ１が、自身が所有する第一携帯端末９ａを用いて、表示部２に画像を表示させたいときには、第一携帯端末９ａを鏡装置Ｍ１に接近させ、アプリを起動させる。鏡装置Ｍ１は、無線通信によって、第一携帯端末９ａの識別情報を取得する。
【００５０】
鏡装置Ｍ１の認証部５は、第一携帯端末９ａから取得した識別情報を、メモリ７に格納された複数の識別情報と対比し、一致する識別情報が存在する場合に、第一携帯端末９ａを認証し、第一携帯端末９ａとの無線接続を確立する。
【００５１】
使用者Ｕ２が、自身の所有する第二携帯端末９ｂを用いて画像を表示させたいときや、使用者Ｕ３が、自身の所有する第三携帯端末９ｃを用いて画像を表示させたいときも、同様の手順で無線接続が確立される。なお、鏡装置Ｍ１の認証部５は、第一乃至第三携帯端末９ａ，９ｂ，９ｃのうち複数を同時に認証しない。
【００５２】
鏡装置Ｍ１の画像形成部４は、画像を形成する設定（画像の明るさ、色彩、拡大、縮小等の設定）を、登録された識別情報に応じて相違させることも可能である。この場合、鏡装置Ｍ１のメモリ７に、識別情報ごとに対応する設定を格納しておく。
【００５３】
また、鏡装置Ｍ１の照明部８２１を、登録された識別情報に応じた発光量や発光色となるように制御することも可能である。この場合、鏡装置Ｍ１のメモリ７に、識別情報ごとに対応する照明の設定を格納しておく。
【００５４】
画像形成の設定や照明の設定は、鏡装置Ｍ１との間で確立された無線接続が終了する際に、鏡装置Ｍ１のメモリ７に格納される。これにより、使用者Ｕ１，Ｕ２，Ｕ３は次回利用の際に、前回終了時の設定で利用を開始することができる。
【００５５】
次に、鏡装置Ｍ１の変形例について説明する。
【００５６】
鏡装置Ｍ１は、鏡部１を備える洗面化粧台であるが、これに限定されない。鏡装置Ｍ１は、他の住宅設備や住宅建材に鏡部１を組み込んだものでもよいし、鏡そのものでもよい。
【００５７】
また、鏡装置Ｍ１は、携帯端末９に無線接続されるが、これに限定されない。鏡装置Ｍ１と携帯端末９を有線接続することも可能である。
【００５８】
また、鏡装置Ｍ１では、鏡部１の中央部分を構成する平面鏡１２が表示部２であるが、表示部２の位置は鏡部１の中央部分に限定されない。また、鏡部１の全部が表示部２であってもよい。
【００５９】
また、鏡装置Ｍ１の表示部２にハーフミラー２３を備えないことや、タッチパネルシート２４を備えないことも可能である。
【００６０】
以上、詳述したように、鏡装置Ｍ１は、鏡部１と、鏡部１の少なくとも一部を構成する表示部２と、撮像機能を有する携帯端末９との間で通信を行う通信部３と、表示部２に表示する画像を形成する画像形成部４を備える。画像形成部４は、通信部３を通じて携帯端末９から取得した撮像データに基づいて画像を形成する。
【００６１】
鏡装置Ｍ１によれば、使用者Ｕ１は、自身が所有する携帯端末９の撮像機能を用いて頭部を多様な方向から撮像し、撮像した画像を表示部２に表示することができる。したがって、使用者Ｕ１は、鏡部１を向いたままで携帯端末９を動かすことで、自身の頭部を所望の方向から確認することができ、使い勝手が良好である。しかも、自身の携帯端末９の撮像機能を利用するので、コストを抑えることができる。
【００６２】
さらに、鏡装置Ｍ１において、表示部２は、ハーフミラー２３と、ハーフミラー２３の裏側に設置されたディスプレイ２５１とを備える。
【００６３】
したがって、鏡装置Ｍ１によれば、ディスプレイ２５１に画像を表示させない場合には、表示部２を通常の鏡のように利用することができ、使い勝手がよい。
【００６４】
さらに、鏡装置Ｍ１において、通信部３は、携帯端末９との間で無線通信を行う。
【００６５】
したがって、鏡装置Ｍ１によれば、鏡装置Ｍ１に無線接続された携帯端末９を自在に動かすことができ、使い勝手が良好である。
【００６６】
さらに、鏡装置Ｍ１は、携帯端末９から無線通信で取得した識別情報を、登録された識別情報と対比し、両者が一致する場合に携帯端末９を認証する認証部５を備える。画像形成部４は、認証部５に認証された携帯端末９から取得した撮像データに基づいて、表示部２に表示する画像を形成する。
【００６７】
したがって、鏡装置Ｍ１によれば、あらかじめ登録した携帯端末９との間でのみ無線接続を確立することができる。
【００６８】
さらに、鏡装置Ｍ１において、認証部５は、複数の識別情報を認証可能である。
【００６９】
したがって、鏡装置Ｍ１によれば、複数の使用者Ｕ１，Ｕ２，Ｕ３で鏡装置Ｍ１を利用することが可能となる。
【００７０】
以上、鏡装置Ｍ１について説明したが、鏡装置Ｍ１は説明した形態に限定されず、適宜の設計変更を行うことが可能である。
【符号の説明】
【００７１】
１      鏡部                    
２      表示部
３      通信部
４      画像形成部
５      認証部
９      携帯端末
２３    ハーフミラー
２５１  ディスプレイ
Ｍ１    鏡装置
【図１】
2017064114.tif 000003
【図２】
2017064114.tif 000004
【図３】
2017064114.tif 000005
【図４】
2017064114.tif 000006
【図５】
2017064114.tif 000007